【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
第１方向にそれぞれ沿った複数の列および第２方向にそれぞれ沿った複数の行を構成するように配列された複数の吐出部を備える液体吐出部品であって、
前記複数の吐出部の各々は、吐出口と、前記吐出口に連通した液室と、前記液室の中の液体にエネルギーを与える素子と、前記素子を駆動する駆動回路と、を含み、
前記液体吐出部品は、前記複数の吐出部のそれぞれの駆動回路を制御する論理回路を備え、
前記複数の列の数は、前記複数の行の数より小さく、
前記論理回路は、前記複数の吐出部のそれぞれの前記駆動回路に供給するべきデータを前記第２方向に転送する複数のシフトレジスタを含み、
各シフトレジスタは、少なくとも１つの行の吐出部に対してデータを供給するように構成され、
各シフトレジスタは、前記複数の列に対応するように前記第２方向に沿って並び、かつ、直列に接続された複数のフリップフロップを含み、
前記複数のフリップフロップのそれぞれは、当該フリップフロップを含むシフトレジスタに対応する前記少なくとも１つの行に含まれ、かつ、当該フリップフロップに対応する列に含まれる吐出部の前記駆動回路に対してデータを供給する、
ことを特徴とする液体吐出部品。
【請求項２】
前記複数の吐出部のうち１つの列を構成する吐出部のそれぞれの前記液室は、液体を供給するための供給口に連通し、前記供給口は、前記第１方向に延びた第１部分と、前記複数の吐出部のうち１つの列を構成する吐出部のそれぞれの前記液室と前記第１部分とを連通させる複数の第２部分と、前記複数の第２部分における互いに隣り合う第２部分の間に設けられた梁とを含み、
前記シフトレジスタは、前記梁に設けられた配線パターンを通してデータを転送する、
ことを特徴とする請求項１に記載の液体吐出部品。
【請求項３】
各シフトレジスタは、少なくとも２つの行のインク吐出部に対してデータを供給するように構成され、
前記論理回路は、各シフトレジスタに対応する前記少なくとも２つの行のうちの１つの行を選択する選択回路を更に備える、
ことを特徴とする請求項１又は２に記載の液体吐出部品。
【請求項４】
前記選択回路は、シフトレジスタを含む、
ことを特徴とする請求項３に記載の液体吐出部品。
【請求項５】
前記複数の列の数は、前記複数のシフトレジスタの数と前記選択回路に含まれる前記シフトレジスタの数との合計より小さい、
ことを特徴とする請求項４に記載の液体吐出部品。
【請求項６】
前記複数のシフトレジスタおよび前記選択回路に含まれる前記シフトレジスタのそれぞれが有するフリップフロップの数のうちの最大値から前記複数のシフトレジスタおよび前記選択回路に含まれる前記シフトレジスタのそれぞれが有するフリップフロップの数の平均値を引いた数が１より小さい、
ことを特徴とする請求項４又は５のいずれか１項に記載の液体吐出部品。
【請求項７】
前記複数のシフトレジスタのそれぞれが有するフリップフロップの数のうちの最大値から前記複数のシフトレジスタのそれぞれが有するフリップフロップの数の平均値を引いた数が１より小さい、
ことを特徴とする請求項１に記載の液体吐出部品。
【請求項８】
前記複数のシフトレジスタおよび前記選択回路に含まれる前記シフトレジスタは、
複数のグループに分けられ、前記複数のグループに対して互いに異なるクロック信号が供給される、
ことを特徴とする請求項４に記載の液体吐出部品。
【請求項９】
前記複数のシフトレジスタは、複数のグループに分けられ、前記複数のグループに対して互いに異なるクロック信号が供給される、
ことを特徴とする請求項１に記載の液体吐出部品。
【請求項１０】
前記複数のシフトレジスタおよび前記選択回路に含まれる前記シフトレジスタの各々の段数に対応するビット幅を有するデータを前記複数のシフトレジスタおよび前記選択回路に含まれる前記シフトレジスタの数に対応するビット幅を有するデータに変換して前記複数のシフトレジスタに対して供給するデータ並べ替え回路を更に備える、
ことを特徴とする請求項４に記載の液体吐出部品。
【請求項１１】
前記複数のシフトレジスタの各々の段数に対応するビット幅を有するデータを前記複数のシフトレジスタの数に対応するビット幅を有するデータに変換して前記複数のシフトレジスタに対して供給するデータ並べ替え回路を更に備える、
ことを特徴とする請求項１に記載の液体吐出部品。
【請求項１２】
前記第１方向に沿って並ぶ、液体を供給するための複数の供給口と、
前記複数の供給口における互いに隣り合う２つの間に設けられた梁と、を備え、
前記複数の吐出部のうち１つの列を構成する吐出部のそれぞれの前記液室は、前記複数の供給口の対応する１つに連通し、
前記シフトレジスタは、前記梁に設けられた配線パターンを通してデータを転送する、
ことを特徴とする請求項１に記載の液体吐出部品。
【請求項１３】
前記梁に設けられ、前記第２方向に延在し、前記素子に電源を供給する電源配線パターンを備える、
ことを特徴とする請求項１２に記載の液体吐出部品。
【請求項１４】
前記配線パターンの幅は、前記電源配線パターンの幅より小さい、
ことを特徴とする請求項１３に記載の液体吐出部品。
【請求項１５】
第１方向にそれぞれ沿った複数の列および第２方向にそれぞれ沿った複数の行を構成するように配列された複数の吐出部を備える液体吐出部品であって、
前記複数の吐出部のそれぞれは、液体にエネルギーを与える素子と、前記素子を駆動する駆動回路と、を含み、
前記液体吐出部品は、前記複数の吐出部のそれぞれの駆動回路を制御する論理回路を備え、
前記複数の列の数は、前記複数の行の数より小さく、
前記論理回路は、前記複数の吐出部のそれぞれの前記駆動回路に供給するデータを前記第２方向に転送する複数のシフトレジスタを含み、
各シフトレジスタは、少なくとも１つの行の吐出部に対してデータを供給するように構成され、
各シフトレジスタは、前記複数の列に対応するように前記第２方向に沿って並び、かつ、直列に接続された複数のシフトレジスタ要素を含み、
前記複数のシフトレジスタ要素のそれぞれは、当該シフトレジスタ要素を含むシフトレジスタに対応する前記少なくとも１つの行に含まれ、かつ、当該シフトレジスタ要素に対応する列に含まれる吐出部の前記駆動回路に対してデータを供給する、
ことを特徴とする液体吐出部品。
【請求項１６】
基板と、第１方向にそれぞれ沿った複数の列および第２方向にそれぞれ沿った複数の行を構成するように配列された複数の吐出部と、を備える液体吐出部品であって、
前記複数の吐出部の各々は、吐出口と、前記吐出口に連通した液室と、前記吐出口を通して液体を吐出する吐出素子と、前記吐出素子を駆動する駆動回路と、を含み、
前記液体吐出部品は、前記複数の吐出部のそれぞれの駆動回路を制御する論理回路を備え、
前記複数の列の数は、前記複数の行の数より小さく、
前記基板に複数の供給口が設けられ、
前記基板に複数の供給口の少なくとも一部は、前記複数の列の１つに沿って配列され、
前記駆動回路にデータを転送するように前記論理回路に接続された配線パターンは、前記基板の上に配され、前記複数の供給口のうちの２つの供給口の間の位置を通して、前記第２方向に沿って延びた部分を有する、
ことを特徴とする液体吐出部品。
【請求項１７】
前記複数の供給口は、前記複数の列および前記複数の行に対応するように配列されている、
ことを特徴とする請求項１６に記載の液体吐出部品。
【請求項１８】
前記複数の供給口のうちの２つ供給口の間における前記基板の上に設けられた電源配線パターンを更に備える、
ことを特徴とする請求項１６又は１７に記載の液体吐出部品。
【請求項１９】
前記配線パターンの幅は、前記電源配線パターンの幅より小さい、
ことを特徴とする請求項１８に記載の液体吐出部品。
【請求項２０】
前記複数の供給口は、それぞれ前記複数の吐出部のうち対応する吐出口の前記液室に連通している、
ことを特徴とする請求項１９に記載の液体吐出部品。
【請求項２１】
前記論理回路は、前記複数の吐出部のそれぞれの前記駆動回路に供給するべきデータを前記第２方向に転送する複数のシフトレジスタを含み、
各シフトレジスタは、少なくとも１つの行の吐出部に対してデータを供給するように構成され、
各シフトレジスタは、前記複数の列に対応するように前記第２方向に沿って並び、かつ、直列に接続された複数のフリップフロップを含み、
前記複数のフリップフロップのそれぞれは、当該フリップフロップを含むシフトレジスタに対応する前記少なくとも１つの行に含まれ、かつ、当該フリップフロップに対応する列に含まれる吐出部の前記駆動回路に対してデータを供給する、
ことを特徴とする請求項２０に記載の液体吐出部品。
【請求項２２】
前記第１方向に延びた第２供給口が前記基板に設けられ、
前記複数の吐出部のうち１つの列を構成する吐出部のそれぞれの前記液室は、前記複数の供給口のうちの１つの供給口を介して前記第２供給口に連通している、
ことを特徴とする請求項２１に記載の液体吐出部品。
【請求項２３】
各シフトレジスタは、少なくとも２つの行のインク吐出部に対してデータを供給するように構成され、前記論理回路は、各シフトレジスタに対応する前記少なくとも２つの行のうちの１つの行を選択する選択回路を更に備える、
ことを特徴とする請求項２１又は２２に記載の液体吐出部品。
【請求項２４】
前記選択回路は、シフトレジスタを含む、
ことを特徴とする請求項２３に記載の液体吐出部品。
【請求項２５】
前記複数の列の数は、前記複数のシフトレジスタの数と前記選択回路に含まれる前記シフトレジスタの数との合計より小さい、
ことを特徴とする請求項２４に記載の液体吐出部品。
【請求項２６】
前記複数のシフトレジスタおよび前記選択回路に含まれる前記シフトレジスタのそれぞれが有するフリップフロップの数のうちの最大値から前記複数のシフトレジスタおよび前記選択回路に含まれる前記シフトレジスタのそれぞれが有するフリップフロップの数の平均値を引いた数が１より小さい、
ことを特徴とする請求項２５に記載の液体吐出部品。
【請求項２７】
前記複数のシフトレジスタのそれぞれが有するフリップフロップの数のうちの最大値から前記複数のシフトレジスタのそれぞれが有するフリップフロップの数の平均値を引いた数が１より小さい、
ことを特徴とする請求項２４乃至２６のいずれか１項に記載の液体吐出部品。
【請求項２８】
前記複数のシフトレジスタおよび前記選択回路に含まれる前記シフトレジスタは、複数のグループに分けられ、前記複数のグループに対して互いに異なるクロック信号が供給される、
ことを特徴とする請求項２４乃至２７のいずれか１項に記載の液体吐出部品。
【請求項２９】
前記複数のシフトレジスタは、複数のグループに分けられ、前記複数のグループに対して互いに異なるクロック信号が供給される、
ことを特徴とする請求項２１乃至２７のいずれか１項に記載の液体吐出部品。
【請求項３０】
前記複数のシフトレジスタおよび前記選択回路に含まれる前記シフトレジスタの各々の段数に対応するビット幅を有するデータを前記複数のシフトレジスタおよび前記選択回路に含まれる前記シフトレジスタの数に対応するビット幅を有するデータに変換して前記複数のシフトレジスタに対して供給するデータ並べ替え回路を更に備える、
ことを特徴とする請求項２４乃至２８のいずれか１項に記載の液体吐出部品。
【請求項３１】
前記複数のシフトレジスタの各々の段数に対応するビット幅を有するデータを前記複数のシフトレジスタの数に対応するビット幅を有するデータに変換して前記複数のシフトレジスタに対して供給するデータ並べ替え回路を更に備える、
ことを特徴とする請求項２１乃至２３のいずれか１項に記載の液体吐出部品。
【請求項３２】
請求項１乃至３１のいずれか１項に記載の液体吐出部品を備えることを特徴とする液体吐出装置。
【請求項３３】
液体吐出部品と、前記液体吐出部品を制御する制御部と、を備える液体吐出装置であって、
前記液体吐出部品は、基板と、第１方向にそれぞれ沿った複数の列および第２方向にそれぞれ沿った複数の行を構成するように配列された複数の吐出部と、を含み、
前記複数の吐出部の各々は、吐出口と、前記吐出口に連通した液室と、前記吐出口を通して液体を吐出する吐出素子と、前記吐出素子を駆動する駆動回路と、を含み、
前記複数の列の数は、前記複数の行の数より小さく、
前記基板に複数の供給口が設けられ、
前記基板に複数の供給口の少なくとも一部は、前記複数の列の１つに沿って配列され、
前記駆動回路にデータを転送するように前記駆動回路に接続された配線パターンは、前記基板の上に配され、前記複数の供給口のうちの２つの供給口の間の位置を通して、前記第２方向に沿って延びた部分を有する、
ことを特徴とする液体吐出装置。
【手続補正２】
【補正対象書類名】明細書
【補正対象項目名】０００５
【補正方法】変更
【補正の内容】
【０００５】
本発明の１つの側面は、第１方向にそれぞれ沿った複数の列および第２方向にそれぞれ沿った複数の行を構成するように配列された複数の吐出部を備える液体吐出部品に係り、前記複数の吐出部の各々は、吐出口と、前記吐出口に連通した液室と、前記液室の中の液体にエネルギーを与える素子と、前記素子を駆動する駆動回路と、を含み、前記液体吐出部品は、前記複数の吐出部のそれぞれの駆動回路を制御する論理回路を備え、前記複数の列の数は、前記複数の行の数より小さく、前記論理回路は、前記複数の吐出部のそれぞれの前記駆動回路に供給するべきデータを前記第２方向に転送する複数のシフトレジスタを含み、各シフトレジスタは、少なくとも１つの行の吐出部に対してデータを供給するように構成され、各シフトレジスタは、前記複数の列に対応するように前記第２方向に沿って並び、かつ、直列に接続された複数のフリップフロップを含み、前記複数のフリップフロップのそれぞれは、当該フリップフロップを含むシフトレジスタに対応する前記少なくとも１つの行に含まれ、かつ、当該フリップフロップに対応する列に含まれる吐出部の前記駆動回路に対してデータを供給する。